(57)【特許請求の範囲】
【請求項１】
ドラム状像担持体と、像担持体上の像を記録紙に転写させるための転写バイアスを付与する転写ローラと、記録紙を像担持体から剥離する剥離部材と、剥離部材による剥離部において像担持体と対向し、記録紙の剥離を促す接地導体部材とを備えた画像形成装置において、
前記剥離部材は、像担持体と転写ローラとの接触部における接線と交差せず、その剥離面が先端から急峻に曲線的に立ち上がる曲面であるとともに、前記接線に最近接する頂部から像担持体までの距離が前記頂部から前記接線または接地導体部材までの距離よりも大きく、
前記接地導体部材は、剥離部材先端より上流側から少なくとも剥離部材が前記接線に最近接する位置まで前記接線に沿うように配置されていることを特徴とする画像形成装置。
【発明の詳細な説明】
【０００１】
【発明の属する技術分野】
本発明は、像担持体から記録紙を剥離する剥離部材を備えた画像形成装置に関する。
【０００２】
【従来の技術】
感光体等の像担持体の像を記録紙に転写し、転写後の記録紙を像担持体から剥離するために剥離爪を用いたり、記録紙上のトナーの電荷と逆極性の電荷を誘起する電極部材を対向させ、電荷の鏡像力により記録紙を剥離し易くするもの等が知られている。ところで、カラー画像形成装置において、感光体上の像をドラム状中間転写体に１次転写し、中間転写体から記録紙に２次転写した後、記録紙を剥離する場合、ドラム状中間転写体の径が、通常１５０φを越える大きなものとなり、そのため記録紙が中間転写体に付着し易くなり、これを剥離するのがなかなか難しい。
【０００３】
【発明が解決しようとする課題】
本出願人は、特に中間転写体のような大きな径の像担持体を用いた場合の記録紙の剥離についていろいろ実験を試みた。これについて図４、図５により説明する。
図４において、中間転写体１と２次転写ローラ２を対向させた時の接触部（ニップ部）における接線をニップ水平線３とする。理想的には、記録紙がこのニップ水平線３に沿って移動することである。ニップ部より下流側において中間転写体１に貼りついた記録紙を剥離するため、剥離爪４と、これに対向させて接地導体板５を配置する。剥離爪４は尖った先端を記録紙と中間転写体１間に入りこませて記録紙を剥がし、剥がれた記録紙を剥離爪の面（剥離面）に沿ってスライドさせて記録紙を剥がす働きをする。接地導体板５は記録紙上のトナーの電荷と逆極性の電荷を自身に誘起し、電荷の鏡像力で記録紙を接地導体板側へ引き寄せて剥離を促すものである。ところで、図４の場合には、剥離爪の剥離面がニップ水平線３とオーバーラップしており、いろいろ実験した結果、剥離した記録紙のトナー付着面が剥離爪の剥離面で擦られ、像の劣化を起こすことが分かった。
【０００４】
そこで、図５に示すように、剥離爪４の剥離面の１番高い頂部（中間転写体からもっとも遠ざかる位置）がニップ水平線３と接する程度に剥離爪を配置し、接地導体板をニップ水平線３に近づけて実験したところ、図４の場合と同様、特に厚紙の場合に記録紙のトナー付着面が剥離爪の剥離面で擦られるということが分かった。
【０００５】
【課題を解決するための手段】
上記のように、剥離爪とニップ水平線との位置関係により、記録紙のトナー付着面が擦られるという知見を得て、本発明は剥離面で記録紙のトナー付着面が擦られないようにするとともに、良好に記録紙を剥離できるようにしようとするものである。
【０００６】
本発明は、ドラム状像担持体と、像担持体上の像を記録紙に転写させるための転写バイアスを付与する転写ローラと、記録紙を像担持体から剥離する剥離部材と、剥離部材による剥離部において像担持体と対向し、記録紙の剥離を促す接地導体部材とを備えた画像形成装置において、
前記剥離部材は、像担持体と転写ローラとの接触部における接線と交差せず、その剥離面が先端から急峻に曲線的に立ち上がる曲面であるとともに、前記接線に最近接する頂部から像担持体までの距離が前記頂部から前記接線または接地導体部材までの距離よりも大きく、
前記接地導体部材は、剥離部材先端より上流側から少なくとも剥離部材が前記接線に最近接する位置まで前記接線に沿うように配置されていることを特徴とする。
【０００７】
【発明の実施の形態】
以下、本発明の実施の形態を図面を参照しつつ説明する。
図１は本発明は剥離機構を備えた画像形成装置の例を説明する図である。
１は中間転写体であり、２次転写ローラ２を対向させて記録紙に２次転写を行う構成は図４、図５の場合と同様である。本実施例においては、中間転写体１と２次転写ローラ２とが接触するニップ部における接線（ニップ水平線）３に対して剥離爪１０がオーバーラップしないように配置する。即ち、剥離爪１０のニップ水平線３に最も近い頂部１２においてもニップ水平線３との間に所定の間隔が保持され、さらに本実施例においては剥離爪の先端部から頂部１２に至る剥離面１１が急激に立ち上がる曲面として形成されている。同時に、接地導体板５は少なくとも剥離爪先端より上流側から剥離爪の頂部１２に至るまでの間、ニップ水平線３に沿って配置するようにする。図の例では、さらに下流側までニップ水平線に沿うように構成されているが、剥離後の接地導体板部分は必ずしもニップ水平線に沿う必要はない。
【０００８】
このように、剥離爪の剥離面の形状を曲面とし、かつ剥離爪の頂部をニップ水平線から所定間隔離した場合、図２に示すように、記録紙６の先端部が剥離爪の先端部に当たった状態で搬送力により撓むと、接地導体板５との間の鏡像力で記録紙が接地導体板側に引きつけられて、図２のように撓むことが確認された。この後、記録紙の先端は剥離爪の剥離面に沿って前進するが、接地導体板により引きつけられると共に、剥離面が急激に立ち上がる曲面であるため、記録紙のトナー付着面が剥離爪の剥離面に接することがなく、その結果、トナー像が乱されることもない。
【０００９】
なお、剥離爪の曲面はその頂部１２から中間転写体に下ろした垂線の距離が頂部１２とニップ水平線３との距離よりも大きくなる程度に立ち上げることが望ましい。このような構成とすることにより、厚紙、薄紙とも良好な剥離を行えることが確認できた。
【００１０】
図３は本発明の他の実施の形態を説明する図である。
この例においては、剥離爪２０の剥離面２１が曲面でなく、直線状の面であることが図１の場合と異なっている。剥離爪２０の頂部２２と中間転写体１との距離をニップ水平線３または接地導体板５との距離より大きくして剥離面の傾斜を大きくし、かつ接地導体板５は剥離爪より上流側から剥離面の終了する位置程度まではニップ水平線３に沿って配置される。この例においては、剥離面が直線状のため、図１の場合に比して、トナー面が剥離面に接っし易くなるが、剥離面の傾斜を比較的急にすると共に、接地導体板５がニップ水平線３に沿っているため、記録紙先端部以外は接地導体板５側に吸いつけられ、記録紙のトナー付着面が擦られるのが防止される。
【００１１】
なお、上記の例においては、中間転写体から記録紙を剥離する場合について説明したが、本発明はこれに限定されるものではなく、感光体から直接記録紙に転写する場合等に適用できることはいうまでもない。
【００１２】
【発明の効果】
以上のように、本発明によれば、剥離爪の剥離面を比較的急傾斜、望ましくは曲面とし、接地導体板をニップ水平線に沿わせるようにしたので、厚紙、薄紙のどちらでも記録紙のトナー付着面が剥離面によって擦られることがなく、画像乱れが生ぜず、ニップ水平線に沿ってほぼ真っ直ぐに進む理想的な剥離を行うことができる。また接地導体板をニップ水平線に沿わせるようにしたので、接地導体板による紙の吸着が良好に行割れる。
【図面の簡単な説明】
【図１】  本発明は剥離機構を備えた画像形成装置の例を説明する図である。
【図２】  剥離機構の詳細図である。
【図３】  本発明の他の実施の形態を説明する図である。
【図４】  記録紙の剥離機構を説明する図である。
【図５】  記録紙の剥離機構を説明する図である。
【符号の説明】
１…中間転写体、２…２次転写ローラ、３…ニップ水平線、１０…剥離爪、１１…剥離面、１２…頂部。
【図１】
0003861982.tif 000002
【図２】
0003861982.tif 000003
【図３】
0003861982.tif 000004
【図４】
0003861982.tif 000005
【図５】
0003861982.tif 000006